(57)【要約】デジタル・ケーブル・レディ・テレビジョンは標準ＰＯＤインタフェース・モジュール無しで機能する。テレビジョンはＩＥＥＥ１３９４コンパチブル・インタフェースおよびモジュールを用いて処理機能を実行し、例えばスクランブル信号をデスクランブルしＥＰＧ情報を供給する。テレビジョンはスクランブル信号を含む入力信号を受信する。スクランブル信号は、主要トランスポート・データストリームからＩＥＥＥ１３９４コンパチブル・インタフェースを介してデスクランブラに切換えられる。スクランブル信号は入力信号に埋め込まれた許可情報に従ってデスクランブルされ、ＩＥＥＥ１３９４コンパチブル・インタフェースを介して主要トランスポート・データストリームと合成される。デスクランブル信号はスクランブル信号を置換する。合成信号はＨＤＭＰＥＧ等の任意の適当なフォーマットで表示／音響装置に供給される。ＩＥＥＥ１３９４コンパチブル・インタフェース・モジュールはコピー保護コンテンツを供給する。
2004524773.tif 000002
【特許請求の範囲】
【請求項１】
入力信号を受け取るよう構成された第１の処理部と、
前記入力信号に関連するスクランブルされた信号成分をデスクランブルするよう構成された第２の処理部と、
を具え、
前記第１の処理部はＩＥＥＥ１３９４コンパチブル・インタフェースによって前記第２の処理部に結合されるものである、
信号処理システム。
【請求項２】
前記スクランブルされた信号は、ＩＥＥＥ１３９４コンパチブル非同期データ・モードとＩＥＥＥ１３９４コンパチブル等時性データ・モードのうちの少なくとも一方に従って前記第２の処理部に供給されるものである、請求項１に記載の信号処理システム。
【請求項３】
前記第１の処理部はさらに出力信号を供給するよう構成されており、
前記第１の処理部は、
前記入力信号を受け取るよう構成されていて、復調された帯域外（ＯＯＢ）信号、復調されたサービス信号および順方向エラー訂正（ＦＥＣ）信号の中の少なくとも１つを供給する第３の処理部と、
前記帯域外信号、前記復調されたサービス信号および前記順方向エラー訂正信号の中の前記少なくとも１つを受け取るよう構成され、また、前記出力信号と、補助データ信号およびトランスポート・ストリーム信号のうちの少なくとも一方とを供給するよう構成された第４の処理部と、
前記補助データ信号および前記トランスポート・ストリーム信号のうちの少なくとも一方を受け取るよう構成され、また、前記スクランブルされた信号を前記第２の処理部に供給するよう構成されたＩＥＥＥ１３９４コンパチブル回路と、
を具えるものである、請求項１に記載の信号処理システム。
【請求項４】
前記第１の処理部は、前記第２の処理部に電力を供給するための電源を具えるものである、請求項１に記載の信号処理システム。
【請求項５】
前記ＩＥＥＥ１３９４コンパチブル・インタフェースはコピー保護されたコンテンツを供給するものである、請求項１に記載の信号処理システム。
【請求項６】
スクランブルされた信号および帯域外（ＯＯＢ）信号のうちの少なくとも１つを含む信号を受け取るステップを含む、信号処理方法であって、
前記帯域外信号は、前記少なくとも１つのスクランブルされた信号をデスクランブルする許可に関連する情報を含み、
さらに、前記受け取った信号を処理して、前記帯域外信号に従って少なくとも１つの選択されたスクランブル済みの信号をＩＥＥＥ１３９４コンパチブル回路を介してデスクランブラに供給するステップを含む、信号処理方法。
【請求項７】
さらに、前記少なくとも１つの選択されたスクランブル済みの信号をデスクランブルするステップを含む、請求項６に記載の信号処理方法。
【請求項８】
さらに、前記デスクランブルされた少なくとも１つの選択されたスクランブル済みの信号と、前記処理された受け取った信号とを合成するステップを含み、各デスクランブルされた信号は対応するスクランブルされた信号と置換されるものである、請求項７に記載の信号処理方法。
【請求項９】
さらに、前記合成された信号を出力信号として供給するステップを含む、請求項８に記載の信号処理方法。
【請求項１０】
前記帯域外信号の一部は、ＩＥＥＥ１３９４コンパチブル非同期データ・モードとＩＥＥＥ１３９４コンパチブル等時性データ・モードのうちの少なくとも一方に従って前記デスクランブラに供給されるものである、請求項６に記載の信号処理方法。
【請求項１１】
前記ＩＥＥＥ１３９４コンパチブル回路はコピー保護されたコンテンツを供給するものである、請求項６に記載の信号処理方法。
【発明の詳細な説明】
【背景技術】
【０００１】
現在のディジタル・ケーブル・システムは、標準のＰＯＤ（Ｐｏｉｎｔ‐Ｏｆ‐Ｄｅｐｌｏｙｍｅｎｔ：ポイント・オブ・デプロイメント、配置点）インタフェースを使用する。このインタフェースは、典型的には、多数のコネクタ（例えば、ピン・コネクタ）を必要とし、テレビジョン受信機との間に相当量のインタラクション（対話）を必要とする。従って、ＰＯＤモジュールは非常に大量の回路を必要とし、テレビジョン受信機は非常に大量のソフトウェアがＰＯＤモジュールとコンパチブルである（と両立する、に適合する）ことを必要とする。これらの現在のディジタル・レディ・システム（Ｄｉｇｉｔａｌ  Ｒｅａｄｙ  Ｓｙｓｔｅｍ）は、複雑で高価である。従って、標準のＰＯＤインタフェース無しで機能することのできるディジタル・ケーブル・レディ・システムに対するニーズ（必要性）が存在する。
【発明の開示】
【０００２】
（発明の概要）
ディジタル・ケーブル・レディ・システムは、標準のＰＯＤインタフェース・モジュール無しで、機能する。そのシステムは、入力信号を受け取る（受信する）ように構成された第１の処理部を含んでいる。また、そのシステムは、入力信号に関連するスクランブル（暗号化）された信号成分をデスクランブル（暗号解読）するように構成された第２の処理部を含んでいる。この第１の処理部は、ＩＥＥＥ１３９４コンパチブル（に適合する）インタフェースによって第２の処理部に結合されている。
【０００３】
本発明は、図面を参照して次の詳細な説明を読むことによって最もよく理解される。
【発明を実施するための最良の形態】
【０００４】
ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）１３９４インタフェースに関する記述がＩＥＥＥ１３９４−１９９５標準に記載されている。簡単に説明すると、ＩＥＥＥ１３９４は、最高４００Ｍビット／秒（Ｍｂｐｓ）のデータ転送レートを支援する。また、ＩＥＥＥ１３９４は、ビデオ・アプリケーションに有利な等時性（ｉｓｏｃｈｒｏｎｏｕｓ）データ（保証されたデータ・レートで供給されるデータ）を支援する。ＩＥＥＥ１３９４は、各々が特定の機能を実行する複数の層から成る。それらの層は、トランザクション層、リンク層および物理層（ｐｈｙｓｉｃａｌ  ｌａｙｅｒ）を含んでいる。トランザクション層は、例えば、ノード間でデータがどのように転送されるか、およびエラーがどのように処理されるかといった、或る高レベルの機能を規定している。リンク層は、トランザクション層と通信して、アドレス、データ・チェック（検査）およびデータ・フレームの情報を供給する。物理層は、ノードとバスの間の物理的インタフェースそのものを形成し、リンク層からの信号を１３９４バス用の適正な電気信号に変換する。
【０００５】
図１は、以下説明するように、ＩＥＥＥ１３９４リンクを含む信号処理システム１００の機能ブロック図である。一実施形態において、信号処理システム１００は、１３９４リンク・ベースの（に基づく）デスクランブル機能を有するディジタル・ケーブル・レディ・テレビジョン受信機の機能を実行する。信号処理システム１００は、入力信号２２に同調してそれを復調し、オーディオおよび／またはビデオ・データ（信号２４）をトランスポート・ストリームの形式で供給する第１の処理部１２と、さらに、例えば、与えられた許可に従って信号をデスクランブルして供給し（例えば、ペイパービュー・チャンネル）、電子プログラム・ガイド（Ｅｌｅｃｔｒｏｎｉｃ  Ｐｒｏｇｒａｍ  Ｇｕｉｄｅ：ＥＰＧ）情報を供給するといった諸機能を実行する第２の処理部１４と、を含んでいる。典型例の実施形態では、処理部１２は、ディジタル・レディ・ケーブル・テレビジョンに組み込まれていてもよい。この実施形態では、処理部１２は、第２の処理部１４に対するＰＯＤインタフェースも、上述の諸機能（例えば、デスクランブル、許可された信号の供給、ＥＰＧ情報の供給）を実行するＰＯＤモジュールも必要としない。この分野で知られているように、典型的なＰＯＤモジュールおよびインタフェースは、例えばＰＣＭＣＩＡ（Ｐｅｒｓｏｎａｌ  Ｃｏｍｐｕｔｅｒ  Ｍｅｍｏｒｙ  Ｃａｒｄ  Ｉｎｔｅｒｎａｔｉｏｎａｌ  Ａｓｓｏｃｉａｔｉｏｎ）カードにおいて使用されているような、複雑なデータ・プロトコルと非常に多くのコネクタ・ピンを使用する。
【０００６】
信号処理システム１００は、ほんの４つまたは６つのピン・コネクタとの間のＩＥＥＥ１３９４インタフェースを用いて、与えられた許可に従って信号をデスクランブルして供給し、ＥＰＧ情報を供給するといった諸機能を実行する。これらの機能はＩＥＥＥ１３９４インタフェースを介して処理部１４を用いて実行される。第１の処理部１２は、入力信号２２を受信し、出力信号２４を供給することができる。入力信号２２は、例えば、ケーブル・テレビジョン（ＣＡＴＶ）信号、放送信号、および／または衛星信号のようなディジタル・テレビジョン信号を含んでいてもよい。さらに、入力信号２２は、帯域外信号（ＯＯＢ：Ｏｕｔ‐Ｏｆ‐Ｂａｎｄ）信号およびサービス信号を含んでいてもよい。ＯＯＢ信号は、例えば、条件付きアクセスおよび管理メッセージ、インタラクティブ・プログラム・ガイド情報、および／またはその他の個人データを含んでいてもよい。サービス信号は、入力信号２２のその残りを含んでいて、例えば、ネットワーク放送チャンネル、ペイ・チャンネル（有料チャンネル）、ペイパービュー・チャンネル、インターネット・サービス・チャンネル、スクランブルされたチャンネル、またはこれらの任意の組み合わせを含んでいる。入力信号２２は、例えば、ＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）、ＡＴＳＣ（Ａｍｅｒｉｃａｎ  Ｔｅｌｅｖｉｓｉｏｎ  Ｓｙｓｔｅｍ  Ｃｏｍｍｉｔｔｅｅ）および／またはディジタル・ケーブルのような、幾つかのフォーマットの中の任意のフォーマットでフォーマット化されている。出力信号２４は、ビデオ信号および／またはオーディオ信号を含んでいてもよい。出力信号２４は、幾つかのフォーマットの中の任意のフォーマットでフォーマット化されていてもよい。例えば、出力信号２４は、ＭＰＥＧ（Ｍｏｖｉｎｇ  Ｐｉｃｔｕｒｅ  Ｅｘｐｅｒｔ  Ｇｒｏｕｐ）フォーマットに従ってフォーマット化されていてもよい。幾つかのＭＰＥＧフォーマットに関する記述が、ＩＳＯ／ＩＥＣ標準１１１７２−１（ＭＰＥＧ−１システム）、１１１７２−２（ＭＰＥＧ−１ビデオ）、１１１７２−３（ＭＰＥＧ−１オーディオ）、１１１７２−４（ＭＰＥＧ−１準拠テスト）、１１１７２−５（ＭＰＥＧ−１技術報告）、１３８１８−１（ＭＰＥＧ−２システム）、１３８１８−２（ＭＰＥＧ−２ビデオ）、１３８１８−３（ＭＰＥＧ−２オーディオ）および１３８１８−４（ＭＰＥＧ−２準拠）に記載されている。
【０００７】
処理部１４は、１３９４リンク２０の一部と、デスクランブラ２６とを具えている。１３９４リンク２０は、処理部１２を処理部１４と結合させる。オプション（任意選択）として、１３９４リンクは、信号を変更（ｔａｍｐｅｒ）、コピーおよび／または傍受から保護するためのコンテンツ保護、例えば５Ｃディジタル伝送コンテンツ保護を行う。５Ｃディジタル伝送コンテンツ保護に関する記述は、文書名「５Ｃ  Ｄｉｇｉｔａｌ  Ｔｒａｎｓｍｉｓｓｉｏｎ  Ｃｏｎｔｅｎｔ  Ｐｒｏｔｅｃｔｉｏｎ  Ｗｈｉｔｅ  Ｐａｐｅｒ」（５Ｃディジタル伝送コンテンツ保護白書）、Ｒｅｖｉｓｉｏｎ  １．０（改訂版１．０），Ｊｕｌｙ  １４，１９９８，Ｃｏｐｙｒｉｇｈｔ（著作権）１９９８、Ｈｉｔａｃｈｉ  Ｌｔｄ．，Ｉｎｔｅｌ  Ｃｏｒｐｏｒａｔｉｏｎ，Ｍａｔｓｕｓｈｉｔａ  Ｅｌｅｃｔｒｉｃ  Ｉｎｄｕｓｔｒｉａｌ，Ｃｏ．Ｌｔｄ．，Ｓｏｎｙ  ｃｏｒｐｏｒａｔｉｏｎ，ａｎｄ  Ｔｏｓｈｉｂａ  Ｃｏｒｐｏｒａｔｉｏｎ（日立、インテル、松下電器産業、ソニー、東芝）に記載されているであろう。処理部１４は、処理部１２内に統合（一体化）されていてもよく、または図１に示されているように処理部１２の外部に設けられていてもよい。
【０００８】
処理部１２は、第３の処理部１６、第４の処理部１８、１３４９リンク２０の一部、および処理部１４に電力を供給するためのオプションの電源４０を具えている。処理部１６は、入力信号２２の一部に同調してそれを復調する。処理部１６は、例えばサービス信号のような入力信号２２の一部に同調するチューナ３０と、例えばＯＯＢ（Ｏｕｔ‐Ｏｆ‐Ｂａｎｄ）信号のような入力信号２２の別の一部に同調するチューナ／復調器３２と、を具えている。また、処理部１６は復調器３４を具えており、その復調器３４は、例えばサービス信号のような入力信号２２の一部を復調し、またオプションとして順方向エラー訂正（Ｆｏｒｗａｒｄ  Ｅｒｒｏｒ  Ｃｏｒｒｅｃｔｉｏｎ：ＦＥＣ）を行うものである。処理部１８は、トランスポート／スイッチング・プロセッサ３６と、オーディオ／ビデオ・プロセッサ３８とを具えている。さらに詳しく説明すると、トランスポート／スイッチング・プロセッサ３６は、入力信号２２の中の同調して復調された一部（信号２５および２７）を受け取るように構成されている。トランスポート／スイッチング・プロセッサ３６は、同調／復調された信号２５および２７の中の選択された一部（信号３１）を処理部１４に供給して別の処理を行わせ（例えば、デスクランブル）、処理部１４によって供給された信号の一部（例えば、デスクランブルされた信号）（信号３３）を、データ・トランスポート・ストリームと再合成して（再度組み合わせて）（信号２９）、オーディオ／ビデオ・プロセッサ３８に供給する。
【０００９】
図２は、テレビジョン信号を処理するための例示的な処理フロー図である。図１および図２を参照すると、ステップ５４において入力信号２２が受信される。入力信号２２は、主要チューナ３０およびＯＯＢチューナ／復調器３２に同時に供給される。ステップ５６において、チューナ３０は、例えばＡＴＳＣフォーマット、ＮＴＳＣフォーマット、ディジタル・ケーブル・フォーマットまたはそれらの組み合わせに従って、入力信号２２（例えば、サービス信号部分）を濾波してそれに同調する。その同調された信号２３は、復調器３４に供給される（ステップ５６）。復調器３４は、同調された信号２３を復調し、オプションとしてＦＥＣ処理を行って（ステップ５６）、出力信号２５を生成してモジュール３４から出力する。ステップ５８において、チューナ／復調器３２は、入力信号２２のＯＯＢ信号部分に同調してそれを復調して信号２７を供給する。適当な多くのタイプの変調／復調方式が存在する。その例には、直交振幅変調（ＱＡＭ）およびそれに対応する復調、直交位相シフト・キーイング（ＱＰＳＫ）変調およびそれに対応する復調、および残留側波帯（ＶＳＢ）変調およびそれに対応する復調が含まれる。例えば、復調器３４はサービス信号に対して直交振幅変調（ＱＡＭ）復調を行い、チューナ／復調器３２はＯＯＢ信号に対して直交位相シフト・キーイング（ＱＰＳＫ）復調を行えばよい。
【００１０】
同調されて復調された信号２５および２７は、処理部１８のトランスポート／スイッチング・プロセッサ３６に供給される。トランスポート／スイッチング・プロセッサ３６は、例えば、マイクロプロセッサ、コンピュータ、特定設計のプロセッサまたはそれらの組み合わせのような任意の適当なプロセッサを含んでいてもよい。同調／復調されたサービス信号２５は、複数のスクランブルされたチャンネルおよびスクランブルされていない（アンスクランブル）（暗号化されていない普通文（ｉｎ  ｔｈｅ  ｃｌｅａｒ））チャンネルを含んでいてもよい。同調／復調された信号２７は、信号２５中の各チャンネルに関連する情報を含み、例えば、そのチャンネルがスクランブルされているかまたは普通文かどうか、特定のユーザがそのチャンネルを視聴する許可を得ているかどうか、特定のユーザがそのチャンネルおよびＥＰＧ情報をデスクランブルする許可を得ているかどうか、に関する情報を含んでいてもよい。同調／復調されたサービス信号２５は、複数のチャンネルを含み得るトランスポート・ストリームの形式でトランスポート／スイッチング・プロセッサ３６に供給される。ステップ６０、６２、および６４において、同調／復調された信号２５および２７の中の選択された部分が、処理部１４に供給される。ステップ６０および６２において、トランスポート／スイッチング・プロセッサ３６は、スクランブルされたサービス信号の一部を１３９４リンク２０に供給する。即ち、復調器３４によって供給されたトランスポート・データストリーム（信号２５）の中の選択された部分、例えばスクランブルされたオーディオおよび／またはビデオ信号が、トランスポート／スイッチング・プロセッサ３６によって、主要トランスポート・パス（経路）（即ち、図１に示されていない信号２５と２７の双方を含むパス）から切換えられて（スイッチングされて）１３９４リンク回路２０に供給される（信号３１）。信号２５の一部の選択は、信号２５におけるデータに関連する情報を含む同調／復調された信号２７の対応する部分に従って、行われる。例えば、同調／復調された信号２７は、信号２５に含まれているチャンネルがスクランブルされていることを示す部分を含んでいてもよい。トランスポート／スイッチング・プロセッサ３６は信号２７を分析し、その結果に従って対応するスクランブルされたチャンネルを信号３１の一部として処理部１４に供給する。次いで、スクランブル・チャンネルが、デスクランブラ２６によってデスクランブルされ（許可が与えられた場合）、トランスポート／スイッチング・プロセッサ３６に信号３３の一部として戻される。次いで、そのデスクランブルされた信号は、信号２９の一部として主要なトランスポート・ストリームと再合成されて、オーディオ／ビデオ・プロセッサ３８に供給される。そのスクランブルされた信号（信号３１）は、シリアル・インタフェース、パラレル・インタフェース、またはそれらの組み合わせによって供給されてもよい。１３９４リンクは集積回路の形態であってもよく、個別の構成要素（コンポーネント）またはその組み合わせであってもよい。１３９４リンク２０（処理モジュール５２）は、オプションとして、受信されたサービ��信号に対してコンテンツ保護を与えてもよい。このサービス信号は、処理部１２に含まれている１３９４バス・リンクの一部によって処理部１４に含まれている１３９４リンクの一部に供給される。この信号は、ステップ６６において、デスクランブラ２６に供給されてデスクランブルされる。ステップ６８において、デスクランブルされたトランスポート・ストリームおよびオプションの５Ｃ保護データは、１３９４リンクを介して戻される。オプションの５Ｃ保護は、トランスポート／スイッチング・プロセッサ３６によってデスクランブル・トランスポート・ストリームから取り除かれて（保護を解除されて）、次いで、オーディオ／ビデオ・プロセッサ３８に供給される。復調器３４によって供給されたトランスポート・ストリームの普通文部分（スクランブルされていない部分）は、トランスポート／スイッチング・プロセッサ３６に供給され、次に、トランスポート／スイッチング・プロセッサ３６が、その普通文信号を、１３９４バス・リンクに供給することなく、オーディオ／ビデオ・プロセッサ３８に直接供給する。ステップ７０において、トランスポート・ストリーム・データは、オーディオ／ビデオ・プロセッサ３８によってフォーマット化される。次いで、ステップ７２において、出力信号２４は、オーディオ／ビデオ・プロセッサ３８によって供給される。オーディオ／ビデオ・プロセッサ３８は、オーディオおよび／またはビデオ信号を処理する任意の適当なプロセッサを含み、例えば、トランスポート・ストリームを処理し、例えば高精細度ＭＰＥＧ（ＨＤ−ＭＰＥＧ）フォーマットのようなＭＰＥＧフォーマットに従ってフォーマット化されたビデオおよび／またはオーディオ信号を供給することができるプロセッサを含んでいてもよい。
【００１１】
ステップ５８において、ＯＯＢ信号は、チューナ／復調器３２によって（信号２７）トランスポート／スイッチング・プロセッサ３６に供給される。ＯＯＢ信号は、サービス信号を含むトランスポート・ストリームに組み込まれて、トランスポート／スイッチング・プロセッサ３６によって１３９４リンクに供給され、１３９４リンクの等時性データ・モードを用いて外部デスクランブラ２６に供給される。代替構成として、ＯＯＢ信号は補助インタフェース４２を介して１３９４リンクに供給され、１３９４リンクの等時性データ・モードを用いて外部デスクランブラ２６に供給される。ＯＯＢ信号は、既存のシステムとのコンパチビリティ（両立性、適合性）のために、これら２つのフォーマットで供給される。ＯＯＢ信号は、ユーザ・データを含み、例えば、スクランブルされたチャンネル、チャンネル・ガイド情報、およびその他の地上波放送（ＡＴＳＣ）をデスクランブルするための許可を含んでいる。ユーザ・データは、幾つかの技術の中の任意のものに従って処理されればよい。例えば、一実施形態では、ステップ６４において、ユーザ・データの全てがトランスポート・ストリームの一部として１３９４リンクに供給される。チャンネル・デスクランブルに対する許可情報を用いて、デスクランブラ２６がどのチャンネルをデスクランブルし得るかが決定される（ステップ６４）。その他のユーザ・データ、例えばユーザ・ガイド情報が、トランスポート・ストリーム中に戻されて挿入され、例えば、ナル（ｎｕｌｌ：空）パケットの位置に挿入される。次いで、この他のユーザ・データは、ディジタル・テレビジョンおよびその他の地上波放送（ＡＴＳＣ）に用いられる処理と同様の形態で処理され、さらにグラフィックス情報に変換されて最終的に表示されてもよい。
【００１２】
別の実施形態では、ステップ６４において、ユーザ・データにおけるデスクランブル許可に関連する部分が１３９４リンクに供給される。ユーザ・データの残り分が、例えばメモリ回路５０のようなメモリに格納される。次いで、ユーザ・データのその残り分が、上述のようにトランスポート・ストリームと再合成されて処理される。この実施形態によって、前の実施形態と比較して、処理部１４の処理の複雑さが簡単化される。
【００１３】
信号処理システム１００の一実施形態において、処理部１４は、電源（図１には示されていない）を含んでいてもよい。この構成において、処理部１４は、図１に示されているように、４ピン・コネクタを用いて処理部１２に結合されてもよい。別の構成では、処理部１４は、オプションの電源４０から電力を受け取ってもよい。この構成において、処理部１４は、図１に示されているように、６ピン・コネクタを用いて処理部１２に結合されてもよく、その追加的な２つのピンを用いて電源４０から処理部１４に電力を供給してもよい。
【００１４】
上述のような現在のシステム上でＩＥＥＥ１３９４コンパチブル・デスクランブラを具えている信号処理システムの利点は、インタフェース回路が小さく、プロトコルの複雑さが少なく、ピン・コネクタの形態のハードウェアが少なく、テレビジョン受信機内のソフトウェアがより少なくなることを含んでいる。その結果、システム・コストが低減される。そのシステムによって、ディジタル・ケーブル・レディ・テレビジョン受信機は、標準ＰＯＤインタフェース・モジュールを用いずに、機能することができる。そのシステムは、同じインタフェース上で、同時の非同期および等時性トランスポートを実現する。また、そのシステムは、オプションの電源４０を介した自己給電機能を備えている。さらに、外部処理部１４は、処理部１２または１４の何れからも電力（給電）を取り外す（無くす）ことなく、処理部１２に付加しおよび／または処理部１２から分離することができる。
【００１５】
以上、本発明を或る特定の実施形態について例示して説明したが、本発明はその細部に限定されるものではない。むしろ、本発明の精神を逸脱することなく、請求の範囲およびその均等手段の範囲内でその細部について様々な変形を施してもよい。
【図面の簡単な説明】
【００１６】
【図１】図１は、本発明の実施形態による信号処理システムの機能ブロック図である。
【図２】図２は、本発明の実施形態によるテレビジョン信号を処理する方法の典型例のフロー図である。
【図１】
2004524773.tif 000003
【図２】
2004524773.tif 000004
【国際公開パンフレット】
2004524773.tif 000005
2004524773.tif 000006
2004524773.tif 000007
2004524773.tif 000008
2004524773.tif 000009
2004524773.tif 000010
2004524773.tif 000011
2004524773.tif 000012
2004524773.tif 000013
2004524773.tif 000014
2004524773.tif 000015
2004524773.tif 000016
【国際調査報告】
2004524773.tif 000017
2004524773.tif 000018
2004524773.tif 000019